(57)【要約】【課題】着用時において接続部材に強い張力や強いねじれの力が加わっても破損する虞がなく、接続部材の製造が容易であり、しかも接続部材全体が大型化してしまうことのないゴ−グルを提供する。【解決手段】ゴーグル本体１とヘッドバンド２とからなり、ゴーグル本体１の両端にヘッドバンド２の両端をそれぞれ接続部材３を介して接続したものとし、前記ゴーグル本体１の両端部には、それぞれゴーグルの側面側に開口する嵌合口６を設けたものとし、前記接続部材３には、平板状の嵌合部９を突設しており、この嵌合部９を前記嵌合口６に遊嵌できるようにし、この嵌合口６内で上下方向に回動させることにより、前記嵌合口６の上面に前記嵌合部９の上面が接触したり、前記嵌合口６の下面に前記嵌合部９の下面が接触するようにしている。【選択図】図３
2019088388.tif 000002
【特許請求の範囲】
【請求項１】
ゴーグル本体（１）とヘッドバンド（２）とからなり、ゴーグル本体（１）の両端にヘッドバンド（２）の両端をそれぞれ接続部材（３）を介して接続したものとし、前記ゴーグル本体（１）の両端部には、それぞれゴーグルの側面側に開口する嵌合口（６）を設けたものとし、前記接続部材（３）には、平板状の嵌合部（９）を突設しており、この嵌合部（９）を前記嵌合口（６）に遊嵌できるようにし、この嵌合口（６）内で上下方向に回動させることにより、前記嵌合口（６）の上面に前記嵌合部（９）の上面が接触したり、前記嵌合口（６）の下面に前記嵌合部（９）の下面が接触するようにしていることを特徴とするゴーグル。
【請求項２】
ゴーグル本体（１）とヘッドバンド（２）とからなり、ゴーグル本体（１）の両端にヘッドバンド（２）の両端をそれぞれ接続部材（３）を介して接続したものとし、前記ゴーグル本体（１）の両端部には、それぞれゴーグルの側面側に開口する嵌合口（６）と、この嵌合口（６）に連通するようにして後方側に開口する挿脱口（７）を有する挿脱部（８）を設けたものとし、前記接続部材（３）には、平板状の嵌合部（９）を突設しており、この嵌合部（９）を前記挿脱口（７）から挿入して嵌合口（６）に遊嵌できるようにし、この嵌合口（６）内で上下方向に回動させることにより、前記嵌合口（６）の上面に前記嵌合部（９）の上面が接触したり、前記嵌合口（６）の下面に前記嵌合部（９）の下面が接触するようにしていることを特徴とするゴーグル。
【請求項３】
前記ゴーグル本体（１）の嵌合口（６）は、ゴーグルの前方向を頂点とする略三角形状または略扇形状とし、前記接続部材（３）の嵌合部（９）は、ゴーグルの前方向を頂点とする略三角形状または略扇形状としていることを特徴とする請求項１または２記載のゴーグル。
【請求項４】
前記嵌合口（６）は、二段構造にしており、表面側の一段目嵌合口（６ａ）が裏面側の二段目嵌合口（６ｂ）より小さく形成されていると共に、前記嵌合部（９）は、二段構造にしており、表面側の一段目嵌合部（９ａ）が裏面側の二段目嵌合部（９ｂ）より小さく形成されており、一段目嵌合部（９ａ）は、前記嵌合口（６）の一段目嵌合口（６ａ）に対向するものとしており、二段目嵌合部（９ｂ）は、前記嵌合口（６）の二段目嵌合口（６ｂ）に対向するものとしていることを特徴とする請求項１または２記載のゴーグル。
【発明の詳細な説明】
【技術分野】
【０００１】
この発明は、水泳、その他のスポーツ等に使用するのに好ましいゴーグルに関するものである。
【背景技術】
【０００２】
従来、この種のゴーグルとしては、例えば図１２に示したように、左右一対のアイカップ２１と、両アイカップ２１の対向内端部同志を連結する連結部材２２と、弾性バンド２３と、アイカップ２１と弾性バンド２３を接続する接続部材２４とにより構成されているものが存在する（特許文献１）。
【０００３】
前記ゴーグルにおいて、接続部材２４は、図１３に示したように、硬質プラスチック製のベルトアジャスター２５及び尾錠２６と、ゴム状弾性体である高弾性（軟質) プラスチック製のベルトクリップ２７とから成るとしている。前記接続部材２４は、ベルトアジャスター２５、尾錠２６、及びベルトクリップ２７を一体的に結合した一体成形品とされている。
【０００４】
そして、前記接続部材２４は、ベルトストッパー２８を介してアイカップ２１の取付部２９に上下方向に相対回動可能に装着されている。すなわち、前記接続部材２４がアイカップ２１に対し、中心Ｐを中心として上下に夫々５度程度回転可能とされている（図１６参照）。前記接続部材２４は、図１４、１５に示したように、ベルトアジャスター２５の係合孔３０に遊嵌した係止軸部３１によって前後方向の動きが規制され、この係止軸部３１及びアイカップ２１の取付部外壁面３２、係合孔３３に案内されて相対回動する。
【０００５】
このように構成されたゴーグルは、前記アイカップ２１の相対回動によって、アイカップの位置ずれを防止することができ、アイカップ２１と使用者の顔面との水密性を維持することができる。
【先行技術文献】
【特許文献】
【０００６】
【特許文献１】特許第３２４３３４５号公報
【発明の概要】
【発明が解決しようとする課題】
【０００７】
しかしながら、特許文献１に記載された従来のゴーグルでは、ベルトアジャスター２５の係合孔３０にベルトストッパー２８の係止軸部３１を遊嵌しており、この係止軸部３１のみによって前後方向の動きが規制されているため、ゴーグルの着用時に強い張力が加わると、この係止軸部３１が破損してしまう虞があるという課題を有していた。
【０００８】
さらに、従来のゴーグルでは、ベルトアジャスター２５とベルトクリップ２７を一体的に結合しているが、ゴーグルの着用時に、ベルトアジャスター２５とベルトクリップ２７の接合部に強いねじれの力が加わると、ベルトアジャスター２５がベルトクリップ２７から脱落したり、ベルトアジャスター２５の差し込み部が嵌合口２９よりも細く浮き上がるために、ベルトストッパー２８が脱落する虞があるので、ベルトクリップ２７をゴム状弾性体である高弾性（軟質) プラスチック製とし、係止軸部３１に加わる強い張力や、ベルトアジャスター２５との接合部に加わる強いねじれの力を逃がしていた。
【０００９】
そのため、従来のゴーグルでは、接続部材２４を構成するには、材質の異なる部材を結合する必要があるので、製造が困難であり、これら部材の結合によって接続部材２４自体が大型化してしまうという課題を有していた。
【００１０】
そこで、この発明は、着用時において接続部材に強い張力や強いねじれの力が加わっても破損する虞がなく、接続部材の製造が容易であり、しかも接続部材全体が大型化してしまうことのないゴ−グルを提供することを目的としてなされたものである。
【課題を解決するための手段】
【００１１】
この発明のゴーグルは、ゴーグル本体１とヘッドバンド２とからなり、ゴーグル本体１の両端にヘッドバンド２の両端をそれぞれ接続部材３を介して接続したものとし、前記ゴーグル本体１の両端部には、それぞれゴーグルの側面側に開口する嵌合口６を設けたものとし、前記接続部材３には、平板状の嵌合部９を突設しており、この嵌合部９を前記嵌合口６に遊嵌できるようにし、この嵌合口６内で上下方向に回動させることにより、前記嵌合口６の上面に前記嵌合部９の上面が接触したり、前記嵌合口６の下面に前記嵌合部９の下面が接触するようにしている。
【００１２】
さらに、この発明のゴーグルは、ゴーグル本体１とヘッドバンド２とからなり、ゴーグル本体１の両端にヘッドバンド２の両端をそれぞれ接続部材３を介して接続したものとし、前記ゴーグル本体１の両端部には、それぞれゴーグルの側面側に開口する嵌合口６と、この嵌合口６に連通するようにして後方側に開口する挿脱口７を有する挿脱部８を設けたものとし、前記接続部材３には、平板状の嵌合部９を突設しており、この嵌合部９を前記挿脱口７から挿入して嵌合口６に遊嵌できるようにし、この嵌合口６内で上下方向に回動させることにより、前記嵌合口６の上面に前記嵌合部９の上面が接触したり、前記嵌合口６の下面に前記嵌合部９の下面が接触するようにしている。
【００１３】
この発明のゴーグルにおいて、前記ゴーグル本体１の嵌合口６は、ゴーグルの前方向を頂点とする略三角形状または略扇形状とし、前記接続部材３の嵌合部９は、ゴーグルの前方向を頂点とする略三角形状または略扇形状としている。
【００１４】
この発明のゴーグルにおいて、前記嵌合口６は、二段構造にしており、表面側の一段目嵌合口６ａが裏面側の二段目嵌合口６ｂより小さく形成されていると共に、前記嵌合部９は、二段構造にしており、表面側の一段目嵌合部９ａが裏面側の二段目嵌合部９ｂより小さく形成されており、一段目嵌合部９ａは、前記嵌合口６の一段目嵌合口６ａに対向するものとしており、二段目嵌合部９ｂは、前記嵌合口６の二段目嵌合口６ｂに対向するものとしている。
【発明の効果】
【００１５】
この発明のゴーグルは、以上に述べたように構成されており、接続部材のゴーグル本体との接続を軸着構造とすることなく、面接触構造としたので、着用時に強い張力や強いねじれの力が加わっても破損する虞のないものとなった。
【００１６】
さらに、この発明のゴーグルは、接続部材を構成するのに材質の異なる部材を結合する必要もなく、製造が容易なものとなり、安価な値段で提供することができ、商品価値に優れたものとなった。
【００１７】
また、この発明のゴーグルは、接続部材自体を小型化することができたので、使用時の流体抵抗が小さく、しかもフィット感もよくなり、水泳、その他のスポーツ等に使用するのに好ましいものとなった。
【図面の簡単な説明】
【００１８】
【図１】この発明のゴーグルの一実施形態を示す斜視図である。
【図２】図１に示すゴーグルの平面図である。
【図３】図１に示すゴーグルの要部拡大側面図である。
【図４】図３中のＡーＡ線断面図である。
【図５】図３中のＢーＢ線断面図である。
【図６】図３に示すゴーグルのゴーグル本体の側面図である。
【図７】図６に示すゴーグル本体の斜視図である。
【図８】図３に示すゴーグルの接続部材の正面図である。
【図９】図８に示す接続部材の斜視図である。
【図１０】（ａ）は、ゴーグル本体の嵌合口内で接続部材の嵌合部を上方向に回動させた状態の説明図である。（ｂ）は、（ａ）中のＣーＣ線断面図である。
【図１１】（ａ）は、ゴーグル本体の嵌合口内で接続部材の嵌合部を下方向に回動させた状態の説明図である。（ｂ）は、（ａ）中のＤーＤ線断面図である。
【図１２】従来のゴーグルの正面図である。
【図１３】従来のゴーグルの接続部材の正面図である。
【図１４】従来のゴーグルの接続部材の背面図である。
【図１５】図１３中のＥーＥ線断面図である。
【図１６】従来のゴーグルのアイカップと接続部材の回動状態を示す説明図である。
【発明を実施するための形態】
【００１９】
以下、この発明のゴーグルを実施するための形態について、図面に基づき詳細に説明する。なお、以下の説明において、上下左右、前後などの方向は、ゴーグル着用状態を基準としている。
【００２０】
図１〜３は、この発明のゴーグルをスイミングゴーグルとした実施形態を示している。このスイミングゴーグルは、アイカップと称される目を水から保護するゴーグル本体１と、頭部に装着するようにしたヘッドバンド２とからなり、ゴーグル本体１の両端にヘッドバンド２の両端をそれぞれ接続部材３を介して接続したものとしている。なお、ヘッドバンド２は、両端を接続部材３を介して折り返され、その折り返されて重なり合う部分をそれぞれバンド長さ調節体４によって、長さ調節自在としている。
【００２１】
前記ゴーグル本体１は、レンズ部１ａと顔当て弾性部１ｂからなり、図示したものは両者を別体とし嵌脱自在としているが、両者を融着により固着一体化したものとしてもよい。なお、図示したゴーグル本体１のレンズ部１ａは、単眼用の左右二個のアイカップ相互間を弾性接続部材５により接続したものとしているが、両眼用の一個のアイカップからなるものとしてもよい。
【００２２】
前記ゴーグル本体１の両端部には、それぞれゴーグルの側面側に開口する嵌合口６と、この嵌合口６に連通するようにして後方側に開口する挿脱口７を有する挿脱部８を設けたものとしている。そして、前記接続部材３には、平板状の嵌合部９を突設しており、この嵌合部９を前記挿脱口７から挿入して嵌合口６に遊嵌できるようにし、この嵌合口６内で上下方向に回動させることにより、前記嵌合口６の上面に前記嵌合部９の上面が接触したり、前記嵌合口６の下面に前記嵌合部９の下面が接触するようにしている。このようにすることにより、前記嵌合口６と嵌合部９とが面接触することになるので、前記嵌合部９が嵌合口６に確りと保持されるものとなる。さらに、前記嵌合部９の後端に設けた摘み部１０には、接続孔１１を形成し、この接続孔１１に前記ヘッドバンド２を接続したものとしている。
【００２３】
前記ヘッドバンド２は、シリコーンゴムや合成ゴム、エラストマーなどの伸縮性を有する弾性体などからなり、一般的には全体を帯状に形成しているが、その端部を接続部材３に取付可能とした形状にしておれば、特に全体を帯状に形成しなくてもよい。
【００２４】
前記ゴーグル本体１の嵌合口６は、ゴーグルの前方向を頂点とする略二等辺三角形、略正三角形、略不等辺三角形などの略三角形状または略扇形状としている。なお、ここで言う略三角形状、略扇形状とは、角を丸めたり、辺を湾曲させたものなども含む、広い概念とするものとする。
【００２５】
さらに、前記嵌合口６は、二段構造にしており、表面側の一段目嵌合口６ａが裏面側の二段目嵌合口６ｂより内周が一回り、もしくは一回り以上、小さく形成されている。
【００２６】
また、前記挿脱部８は、前面８ａを凹曲面状としており、後に述べる接続部材３の嵌合部９の凸曲面状とした後面９ｃに対応するものとし、摺動可能として接触させており、後面８ｂを凸曲面状としており、後に述べる接続部材３の摘み部１０の凹曲面状とした前面１０ａに対応するものとし、摺動可能として接触させている。
【００２７】
前記接続部材３は、合成樹脂で作成されており、前記嵌合部９と前記摘み部１０とから構成され、摘み部１０の前端に嵌合部９を突設したものとしている。
【００２８】
前記接続部材３の嵌合部９は、ゴーグルの前方向を頂点とする略二等辺三角形、略正三角形等、略不等辺三角形などの略三角形状または略扇形状としている。なお、ここで言う略三角形状、略扇形状とは、前記ゴーグル本体１の嵌合口６と同様に、角を丸めたり、辺を湾曲させたものなども含む、広い概念とするものとする。
【００２９】
さらに、前記嵌合部９は、二段構造にしており、表面側の一段目嵌合部９ａが裏面側の二段目嵌合部９ｂより内周が一回り、もしくは一回り以上、小さく形成されており、一段目嵌合部９ａは、前記嵌合口６の一段目嵌合口６ａに対向するものとしており、二段目嵌合部９ｂは、前記嵌合口６の二段目嵌合口６ｂに対向するものとしている。そして、前記一段目嵌合部９ａと二段目嵌合部９ｂは、それぞれ前記一段目嵌合口６ａと二段目嵌合口６ｂよりも小さくしている。
【００３０】
また、前記嵌合部９は、前端部をゴーグル本体１の挿脱口７より薄く形成し、前端部から後方にかけて徐々に厚くしており、一段目嵌合部９ａと二段目嵌合部９ｂの間には、前端の連結部１３を除いて隙間Ｓが形成されており、一段目嵌合部９ａを押し下げることにより弾性変形して、後端部も前記ゴーグル本体１の挿脱口７より薄くなるようにして、この挿脱口７に挿脱操作ができるようにしている。さらに、前記嵌合部９の一段目嵌合部９ａは、後面９ｃを前記ゴーグル本体１の挿脱部８の凹曲面状とした前面８ａに対応する凸曲面状として、この前面８ａに摺動可能として接触するようにしている。
【００３１】
そして、前記嵌合部９は、前記嵌合口６内で上下方向に回動させることにより、前記嵌合口６の一段目嵌合口６ａの上面に前記嵌合部９の一段目嵌合部９ａの上面が接触すると共に、前記嵌合口６の二段目嵌合口６ｂの上面に前記嵌合部９の二段目嵌合部９ｂの上面が接触したり、前記嵌合口６の一段目嵌合口６ａの下面に前記嵌合部９の一段目嵌合部９ａの下面が接触すると共に、前記嵌合口６の二段目嵌合口６ｂの下面に前記嵌合部９の二段目嵌合部９ｂの下面が接触するようにしている。
【００３２】
この発明のゴーグルは、以上のように構成されており、その使用状態においては、次に述べるように、ゴーグル本体１と接続部材３は、ゴーグル着用者によって接続したり、分離することができるようにしているが、ゴーグル本体１の嵌合口６に接続部材３の嵌合部９を嵌め殺しにするなどして、ゴーグル本体１と接続部材３が接続されたままで分離することができないものにしてもよい。
【００３３】
以上のように構成されたこの発明のゴーグルは、次に述べるようにして使用される。
【００３４】
先ず、ゴーグル本体１と接続部材３を接続する場合には、接続部材３の摘み部１０を摘んで、嵌合部９をゴーグル本体１の挿脱口７から押し込むようにして、その嵌合口６に嵌合させればよい。
【００３５】
この場合、前記接続部材３の嵌合部９の一段目嵌合部９ａが、ゴーグル本体１の挿脱口７内面に当たって押し下げられた状態で嵌合口６に導かれ、この嵌合口６で弾性復帰して、図３、４に示したように前記一段目嵌合部９ａの後面９ｃが前記挿脱部８の前面８ａに接触した状態でゴーグル本体１と接続部材３とが接続される。
【００３６】
そこで、ゴーグルを着用すると、前記嵌合部９は嵌合口６内で上下に自由に回動するので、着用者の顔面のフィット感の良い部分にゴーグル本体１が動き、落ち着く（固定される）ことで、ゴーグル本体１と着用者の顔面との間の位置ずれを防止することができ、ゴーグル内に水の侵入がなく（水漏れがなく）、非常に良いフィット感（着け心地）が得られる。
【００３７】
この場合、前記嵌合部９を前記嵌合口６内で上下方向に回動させた状態では、図１０（ｂ）に示したように、前記嵌合口６の一段目嵌合口６ａの上面に前記嵌合部９の一段目嵌合部９ａの上面が接触すると共に、前記嵌合口６の二段目嵌合口６ｂの上面に前記嵌合部９の二段目嵌合部９ｂの上面が接触したり、図１１（ｂ）に示したように、前記嵌合口６の一段目嵌合口６ａの下面に前記嵌合部９の一段目嵌合部９ａの下面が接触すると共に、前記嵌合口６の二段目嵌合口６ｂの下面に前記嵌合部９の二段目嵌合部９ｂの下面が接触するという広範囲での面接触となるので、前記嵌合部９が嵌合口６に確りと保持され、ゴーグルの着用時に強い張力や強いねじれの力が加わっても破損する虞がないものとなる。
【００３８】
そして、ゴーグル本体１と接続部材３を分離する場合には、接続部材３の嵌合部９の一段目嵌合部９ａを押し下げることにより弾性変形させて、前記嵌合部９を前記ゴーグル本体１の挿脱口７より薄くなるようにして、この挿脱口７から抜脱すれば、ゴーグル本体１と接続部材３を簡単に分離することができる。
【００３９】
この発明のゴーグルは、以上に述べたように着用時に強い張力や強いねじれの力が加わっても破損する虞のないものとなり、接続部材を構成するのに材質の異なる部材を結合する必要もなく、製造が容易なものとなり、安価な値段で提供することができ、商品価値に優れたものとなり、しかも接続部材自体を小型化することができたので、使用時の流体抵抗が小さく、しかもフィット感もよくなり、水泳、その他のスポーツ等に使用するのに好ましいものとなった。
【符号の説明】
【００４０】
１  ゴーグル本体
２  ヘッドバンド
３  接続部材
６  嵌合口
６ａ  一段目嵌合口
６ｂ  二段目嵌合口
７  挿脱口
８  挿脱部
９  嵌合部
９ａ  一段目嵌合部
９ｂ  二段目嵌合部
【図１】
2019088388.tif 000003
【図２】
2019088388.tif 000004
【図３】
2019088388.tif 000005
【図４】
2019088388.tif 000006
【図５】
2019088388.tif 000007
【図６】
2019088388.tif 000008
【図７】
2019088388.tif 000009
【図８】
2019088388.tif 000010
【図９】
2019088388.tif 000011
【図１０】
2019088388.tif 000012
【図１１】
2019088388.tif 000013
【図１２】
2019088388.tif 000014
【図１３】
2019088388.tif 000015
【図１４】
2019088388.tif 000016
【図１５】
2019088388.tif 000017
【図１６】
2019088388.tif 000018